(57)【要約】【課題】  開封の痕跡を確実に残し、且つ、偽造品の製作を防止する携帯電話封印キットを提供する。【解決手段】  携帯電話封印キット１は、不透明なシート材からなり内部に携帯電話９を収容可能な収納袋７０１と、樹脂成形品である台座１５及びブッシング１０から構成される封印具１００とを備える。台座１５の突起部１６が収納袋７０１の開口部７２に形成された挿通穴７４に挿通された後、ブッシング１０が突起部１６に装着されることで、携帯電話９を取り出し不能に収納袋７０１が封印される。開封時には台座１５の座部１９と突起部１６とを接続する接続リブが折損するため、開封の痕跡を確実に残すことができる。また、封印具１００は、収納袋７０１と別体に形成されるため、例えば封印具１００を使用機会毎に仕様変更することで、試験の再受験者等が以前の経験に基づいて偽造品を製作することを可及的に防止することができる。【選択図】図２
2014161570.tif 000002
【特許請求の範囲】
【請求項１】
不透明なシート材で形成され、内部に携帯電話（９）を収納可能な収納袋（７０１、７０２、７０３、７０４）と、
前記収納袋とは別体に形成され、収納した携帯電話を取り出し不能に前記収納袋の開口部（７２）を封印可能であり、且つ、開封時に開封の痕跡を残す封印手段（１００、２００、３００、４０）と、
を備えることを特徴とする携帯電話封印キット（１、２、３、４）。
【請求項２】
前記封印手段（１００、１４０、２００、３００）は、樹脂成形品で構成され、開封時に一部が破壊されることを特徴とする請求項１に記載の携帯電話封印キット（１、２、３）。
【請求項３】
前記封印手段（１００、１４０）は、
前記収納袋（７０１）の開口部に形成された挿通孔（７４１）に挿通される突起部（１６）、及び前記突起部を支持する座部（１９）を有する台座（１５）と、前記台座の前記突起部の先端に形成された挿入部（１７）が挿入されたとき当該挿入部の係止部（１７２）が係止可能な段部（１１２）を有するブッシング（１０）と、から構成され、
開封時に、前記台座の前記座部と前記突起部とを接続する接続リブ（１９２）が折損することを特徴とする請求項２に記載の携帯電話封印キット（１）。
【請求項４】
前記封印手段（２００、３００）は、
一端を支点（２９、３９）として開閉可能に設けられ、閉じたとき前記収納袋（７０２、７０３）の開口部を狭持可能な上バー（２０、３０）及び下バー（２５、３５）からなるクリップであり、
前記収納袋の開口部を狭持して閉じたとき、前記上バーの前記支点と反対側の端部に形成された上爪（２３１）が前記下バーの前記支点と反対側の端部に形成された下爪（２８）に係止することで前記収納袋を封印し、
開封時に、前記上バーの前記上爪を含む分離部（２３）が折損することを特徴とする請求項２に記載の携帯電話封印キット（２、３）。
【請求項５】
前記封印手段（４０）は、
基材（４１）の一方の面に貼付転写層（４２）が形成され、前記収納袋（７０４）の開口部を構成する一方及び他方のシート（７２１、７２２）を跨いで貼り付けられるステッカーであり、
開封時に、前記収納袋、及び当該ステッカー裏面の双方に剥離跡（４３、４４）を残すことを特徴とする請求項１に記載の携帯電話封印キット（４）。
【請求項６】
前記収納袋又は前記封印手段に、個体毎に異なる識別番号が付されていることを特徴とする請求項１〜５のいずれか一項に記載の携帯電話封印キット。
【発明の詳細な説明】
【技術分野】
【０００１】
本発明は、複数の部品一式で構成され、内部に携帯電話を収納した状態で封印可能な携帯電話封印キットに関する。
【背景技術】
【０００２】
従来、携帯電話の使用が禁止される状況において、内部に携帯電話を収納し、且つ、収納された携帯電話に対し外部からの操作を規制可能とした収納袋が知られている。例えば、特許文献１には、試験中における携帯電話を使った不正行為の防止を目的とする「不正防止用ホルダー」が開示されている。この不正防止用ホルダーは、携帯電話を収納可能な収納袋に、出し入れ口を閉塞する粘着テープ等の閉塞手段と、この収納袋を受験者の首に掛ける紐体等の装着手段等が設けられている。受験者は、携帯電話を収納袋に収納し粘着テープで出し入れ口を閉じた状態で収納袋を首に掛けて受験する。仮に粘着テープを剥がして携帯電話を取り出すような行為をすれば、試験監督者から発見されやすいというものである。
【先行技術文献】
【特許文献】
【０００３】
【特許文献１】特許第４７９１０７８号公報
【発明の概要】
【発明が解決しようとする課題】
【０００４】
特許文献１の収納袋は、粘着テープを一度剥がすと再度の貼り付けが困難であることから、粘着テープを剥がして携帯電話を取り出した痕跡が残り、事後的に不正行為を発見することができる。しかしながら、悪質な受験者が、粘着テープを剥がした後に別の接着剤を塗布して再貼り付けし、開封の痕跡を隠滅したり、或いは、構造が比較的簡単である収納袋自体を偽造したりするおそれがある。
【０００５】
本発明は、上述の問題に鑑みてなされたものであり、その目的は、開封の痕跡を確実に残し、且つ、偽造品の製作を防止する携帯電話封印キットを提供することにある。
【課題を解決するための手段】
【０００６】
本発明の携帯電話封印キットは、収納袋と、封印手段とを備える。
収納袋は、不透明なシート材で形成され、内部に携帯電話を収納可能である。
封印手段は、収納袋とは別体に形成され、収納した携帯電話を取り出し不能に収納袋の開口部を封印可能であり、且つ、開封時に開封の痕跡を残すことを特徴とする。
【０００７】
このように、本発明の携帯電話封印キットは、収納袋が不透明なシート材で形成されているため、内部に収納した携帯電話の画面表示を見たり、ボタン操作を正確に行ったりすることができなくなる。よって、試験中の不正行為の防止に役立つ。
【０００８】
また、携帯電話を取り出すとき、封印手段によって開封の痕跡を確実に残すことができる。さらに、封印手段は収納袋とは別体に形成されるため、例えば試験等で定期的に使用する場合、使用する機会毎に、収納袋は共用し、封印手段のみを仕様変更するというような融通がきく。そこで、例えば封印手段を使用機会毎に仕様変更することで、試験の再受験者等が以前の経験に基づいて偽造品を製作することを可及的に防止することができる。
【０００９】
本発明を、例えば試験中における不正行為の防止用として用いる場合、開封の痕跡を確実に残すことができれば、試験監督者は、試験終了時に各受験者の机を巡回して不正行為を発見することができる。そのため、試験中、受験者の一挙一動を絶えず監視しなければならないという負担を軽減することができる。また、従来技術のように収納袋を受験者の首に掛けさせなくても、携帯電話封印キットを机上に置いておくだけで不正行為を発見する目的を達成することができる。したがって、受験者にとっては、携帯電話の重量が試験中、常に首に掛かっているという負担から解放される。
【００１０】
特に好ましくは、封印手段は樹脂成形品で構成され、開封時に一部が破壊される。ここで「破壊」とは、例えば接続部等が折損し、原状復帰が不可能となる状態をいう。
この構成により、携帯電話を取り出すとき、樹脂成形品である封印手段の一部が破壊され、原状復帰が不可能となることで、開封の痕跡を確実に残すことができる。
また、封印手段は、樹脂成形品で構成されるため、比較的複雑な形状とすることが容易である。よって、受験者等による偽造品の製作を可及的に防止することができる。
【００１１】
さらに、収納袋又は封印手段には個体毎に異なる識別番号が付されることが好ましい。これにより、正規品が偽造品とすり替えられることをより確実に防止することができる。また、事後的に不審な事実が発見された場合に、トレーサビリティ機能を発揮することができる。
【図面の簡単な説明】
【００１２】
【図１】本発明の第１実施形態による携帯電話封印キットの使用前の（ａ）平面図、（ｂ）正面図、（ｃ）（ａ）のｃ−ｃ線拡大断面図である。
【図２】本発明の第１実施形態による携帯電話封印キットの（ａ）封印時の平面図、（ｂ）（ａ）のｂ−ｂ線拡大断面図、（ｃ）開封時の（ａ）のｃ−ｃ線拡大断面図である。
【図３】本発明の第１実施形態による封印具（ブッシング及び台座）の封印時の（ａ）平面図、（ｂ）断面図、（ｃ）底面図である。
【図４】本発明の第１実施形態による封印具（ブッシング及び台座）の開封時の（ａ）断面図、（ｂ）底面図である。
【図５】本発明の第１実施形態による携帯電話封印キットの使用方法を説明するフローチャートである。
【図６】本発明の第２実施形態による携帯電話封印キットの収納袋の平面図である。
【図７】本発明の第２実施形態による携帯電話封印キットの（ａ）使用前の平面図、（ｂ）正面図、（ｃ）封印時の正面図である。
【図８】本発明の第２実施形態による携帯電話封印キットの（ａ）開封前の平面図、（ｂ）開封後の正面図である。
【図９】本発明の第２実施形態による携帯電話封印キットの使用方法を説明するフローチャートである。
【図１０】本発明の第３実施形態による携帯電話封印キットの収納袋の平面図である。
【図１１】本発明の第３実施形態による携帯電話封印キットの（ａ）使用前の平面図、（ｂ）正面図、（ｃ）封印時の正面図である。
【図１２】本発明の第３実施形態による携帯電話封印キットの（ａ）開封前の平面図、（ｂ）開封後の正面図である。
【図１３】本発明の第４実施形態による携帯電話封印キットの使用前の（ａ）平面図、（ｂ）（ａ）のｂ−ｂ線拡大断面図である。
【図１４】本発明の第４実施形態による携帯電話封印キットの封印時の（ａ）平面図、（ｂ）（ａ）のｂ−ｂ線拡大断面図である。
【図１５】本発明の第４実施形態による携帯電話封印キットの開封時の（ａ）平面図、（ｂ）（ａ）のｂ−ｂ線拡大断面図である。
【図１６】ステッカー裏面から視た剥離痕の模式図である。
【図１７】ステッカー表面から視た剥離痕の模式図である。
【図１８】本発明の第４実施形態による携帯電話封印キットの使用方法を説明するフローチャートである。
【図１９】本発明の第１実施形態の変形例による一体式封印具の斜視図である。
【図２０】本発明の第１実施形態の変形例による一体式封印具の装着方法を示す斜視図である。
【発明を実施するための形態】
【００１３】
以下、本発明の複数の実施形態による携帯電話封印キットを図面に基づいて説明する。携帯電話封印キットは、複数の部品一式で構成される。ここで、「携帯電話」には、ＰＨＳ端末やスマートフォン等、通話機能やメールの送受信機能を有する携帯端末機器全般を含むものとする。また、「携帯電話」のサイズは、一般的に市場に流通している機器のサイズを想定する。
【００１４】
以下の第１〜第４実施形態による携帯電話封印キットは、例えば入学試験、検定試験、資格試験等の試験会場において、受験者が試験中に携帯電話を使用することを防止し、また、試験中に携帯電話を使用した事実を確実に発見することを目的として用いられる。
ここで、「携帯電話を使用する行為」には、通話及びメールの送受信操作等の行為全般を含む。また、実際に通話等をしていない場合であっても、収納袋を開封する行為や開封しようとする行為は、「携帯電話を使用する行為」とみなすものとする。
以下の複数の実施形態の説明において、実質的に同一の構成には同一の符号を付して説明を省略する。
【００１５】
（第１実施形態）
本発明の第１実施形態による携帯電話封印キットについて、図１〜図５を参照して説明する。図２（ａ）等に示すように、携帯電話封印キット１は、収納袋７０１、及び「封印手段」としての封印具１００を備える。収納袋７０１は、不透明なシート材からなり、内部に携帯電話９を収納可能な収納部７１、携帯電話９を出し入れする開口部７２、及び、収納部７１と開口部７２とを区画し開口部７２の近傍で表裏のシート７２１、７２２を合わせて封止するチャック部７３を有している。
【００１６】
収納袋７０１に携帯電話９を収納したとき、受験者等は、収納袋７０１のシート越しに内部の携帯電話９のボタンを手探りで押すことは可能である。しかし、収納袋７０１は、不透明なシート材で形成されているため、受験者等は、携帯電話９の画面表示を見たり、ボタン操作を正確に行ったりすることができなくなる。
収納袋７０１の開口部７２には、表裏のシート７２１、７２２を貫通する挿通穴７４が形成されている。挿通穴７４の内径は、後述する台座１５の挿入部１７の外径より大きく、且つ、ブッシング１０の外径より小さく設定されている。
また、収納袋７０１の表面には、個体毎に異なる識別番号ＩＤが付されている。
【００１７】
封印具１００は、図１（ｃ）、図２（ａ）、（ｂ）に示すように、収納袋７０１の開口部７２の挿通穴７４に装着され、収納部７１に収納した携帯電話９を取り出し不能に封印する。また、図２（ｃ）に示すように、封印具１００は、開封時に破壊されることによって、開封の痕跡を残すことを特徴とする。
【００１８】
封印具１００の詳細な構成について図３、図４を参照して説明する。封印具１００は、樹脂材料で成形されたブッシング１０及び台座１５の２部品で構成されている。図３は、ブッシング１０を台座１５に押し込み、収納袋７０１の開口部７２の表シート７２１及び裏シート７２２を互いに離間不能に固定した状態を示す。一方、図４は、台座１５の突起部１６と座部１９とを接続する接続リブ１９２を折損させることで突起部１６と座部１９とを分断し、収納袋７０１を開封可能とした状態を示す。
【００１９】
ブッシング１０は、略円筒状であり、図３（ｂ）下側に小径穴１１、図３（ｂ）上側に大径穴１２が形成されている。大径穴１２と小径穴１１との境界は段部１１２となっている。小径穴１１の口元には凹テーパ部１１１が形成されている。また、ブッシング１０の大径穴１２側の端部には、受験者等が指等で押圧する面積を確保するために鍔部１３が形成されている。
【００２０】
台座１５は、板状の座部１９と、座部１９から突起する突起部１６とを有している。突起部１６は、先端側の挿入部１７と、基端側であって挿入部１７より小径の柱部１８とからなっており、挿入部１７と柱部１８との境界には係止部１７２が形成されている。挿入部１７の先端には凸テーパ部１７１が形成されている。
【００２１】
台座１５の突起部１６の外径と、ブッシング１０の小径穴１１及び大径穴１２の内径との関係について、挿入部１７の外径は、小径穴１１の内径よりわずかに大きく、大径穴１２の内径以下に設定されている。また、柱部１８の外径は、小径穴１１の内径以下に設定されている。
図３（ｂ）の上方からブッシング１０を台座１５に装着するとき、最初に挿入部１７の凸テーパ部１７１が小径穴１１の凹テーパ部１１１に当接し、ブッシング１０と台座１５とが同軸に位置決めされる。この状態でブッシング１０の鍔部１３を一般人の通常の力で押圧すると、小径穴１１が拡径し、挿入部１７が縮径する方向に変形しつつ、挿入部１７が小径穴１１を通過する。そして、係止部１７２が段部１１２に係止する。
挿入部１７の外径と小径穴１１の内径との差（締め代の２倍に相当する）は、一般人の通常の力で挿入可能であり、且つ、一旦係止部１７２が段部１１２に係止したら引っ張っても抜けないように設定されている。
【００２２】
座部１９は、柱部１８の根元の周方向に複数の分断穴１９１を有している。これにより、座部１９と柱部１８とは、分断穴１９１同士の間に設けられた複数の接続リブ１９２を介して接続されている。また、座部１９の径方向の一方側には、受験者等が指等でつかみやすいように、面積の比較的大きい把持部１９３が設けられている。
【００２３】
図３等では接続リブ１９２を４箇所に図示しているが、接続リブ１９２の数はこれに限らない。接続リブ１９２の数や幅寸法等は、柱部１８を固定して座部１９の把持部１９３を一般人が通常の力で引っ張ったとき、図４（ａ）、（ｂ）に示すように接続リブ１９２が折損し、柱部１８と座部１９とが分断される強度となるように設定されている。
また、座部１９には、上述の収納袋７０１と同様、個体毎に異なる識別番号ＩＤが刻印等によって付されている。
【００２４】
次に携帯電話封印キット１の使用方法について、図５のフローチャートを参照して説明する。以下のフローチャートの説明において、記号Ｓは「ステップ」を示す。
試験開始前、各受験者は、Ｓ１１にて携帯電話９を収納袋７０１の収納部７１に入れてチャック部７３を閉める。続いてＳ１２にて、封印具１００の台座１５の突起部１６を開口部７２の挿通穴７４に挿通した後、ブッシング１０を台座１５に装着することで収納袋７０１を封印する。この状態で、受験者は、机上に収納袋７０１を置き、試験を受ける。試験中、受験者は、当然に携帯電話９を使用することができない。また、従来技術のように携帯電話９を常に首に掛けておく必要はない。
【００２５】
仮に受験者が試験監督者の見ていない隙に携帯電話９を使用しようとすれば、台座１５の座部１９の把持部１９３を引っ張って接続リブ１９２を折損し、台座１５の突起部１６と座部１９とを分断した後、突起部１６を開口部７２から抜き、チャック部７３を開いて携帯電話９を取り出すという動作を行わなければならない。
そして、携帯電話９を使用した後、再び収納部７１に収納してチャック部７３を閉めたとしても、台座１５が破壊されているため封印具１００を再び装着することができない。
【００２６】
その後、Ｓ１３にて、試験終了時に試験監督者が各受験者の収納袋７０１を検査する。このとき、例えば受験番号を識別番号ＩＤとして収納袋７０１や台座１５の座部１９に付しておけば、当該識別番号ＩＤと受験番号とを照合することで、収納袋７０１のすり替えがなされた場合に発見することができる。
【００２７】
検査では、Ｓ１４にて封印具１００の台座１５が破壊されているか否か判断する。
台座１５が破壊されていれば（Ｓ１４：ＹＥＳ）、携帯電話９を使用した不正行為があったと推定し（Ｓ１７）、例えばその受験者を失格等の処分とする（Ｓ１８）。
一方、台座１５が破壊されていなければ（Ｓ１４：ＮＯ）、携帯電話９を使用した不正行為がなかったと推定する（Ｓ１５）。そして、試験終了後に開封を許可する（Ｓ１６）と、受験者は、封印具１００の台座１５を破壊し、携帯電話９を取り出すことができる。
【００２８】
本実施形態の携帯電話封印キット１の効果について説明する。
（１）封印具１００は台座１５を破壊しない限り外れないため、収納袋７０１から携帯電話９を取り出した場合には、台座１５の破壊という原状復帰不能な痕跡を確実に残すことができる。したがって、試験中の不正行為を確実に発見することができる。また、不正行為が必ず見つかるという認識を受験者に持たせることで、不正行為の動機を未然に滅失させる抑止効果を奏することができる。
【００２９】
（２）封印具１００は収納袋７０１と別体に形成されているため、毎回の試験で使用する携帯電話封印キット１について、収納袋７０１は共用し、封印具１００のみを仕様変更するというような融通がきく。そこで、例えば封印具１００の成形型を修正して形状の一部を変更したり、樹脂材料の色を変更したりすることで、再受験者が以前の経験に基づいて偽造品を製作することが困難となる。
【００３０】
（３）収納袋７０１及び封印具１００に識別番号ＩＤが付されているため、受験者は、自分の収納袋７０１を他の受験者の収納袋７０１や偽造した複製品とすり替えることが困難となり、不正行為への抑止効果を高めることができる。
また、試験終了後に回収した収納袋７０１又は封印具１００から不審な事実が発見された場合に、トレーサビリティ機能を発揮する。
【００３１】
（４）収納袋７０１は不透明なシート材で形成されているため、内部に収納した携帯電話９の画面表示を見たり、ボタン操作を正確に行ったりすることができなくなる。よって、試験中の不正行為の防止に役立つ。
【００３２】
（５）本実施形態では、封印具１００が樹脂成形品で構成されるため、比較的複雑な形状とすることが容易である。よって、受験者による偽造品の製作を可及的に防止することができる。
（６）本実施形態では、開封時に封印具１００のみが破壊され、収納袋７０１には損傷が生じないため、次回の試験時に、封印具１００のみ新しいものと交換し、収納袋７０１を再利用することができる。
【００３３】
（第２実施形態）
次に、本発明の第２実施形態による携帯電話封印キットについて、図６〜図９を参照して説明する。第２実施形態の用途、機能は第１実施形態と同一であり、収納袋及び封印手段の具体的な構成が異なる。図７、図８に示すように、第２実施形態の携帯電話封印キット２は、収納袋７０２、及び「封印手段」としてのクリップ２００を備える。
【００３４】
図６に示すように、第２実施形態の収納袋７０２は、開口部７２に複数の定型挿通穴７５が形成されている点を除き第１実施形態の収納袋７０１と同様である。定型挿通穴７５は、収納袋７０２の短手方向に長い横長の矩形穴と、収納袋７０２の長手方向に長い縦長の矩形穴とが交互に配置されている。
【００３５】
図７に示すように、クリップ２００は、樹脂材料で成形され、直方体形状の上バー２０及び下バー２５が、長手方向の一端である折曲部２９を支点として開閉可能に形成されている。クリップ２００が閉じたとき、上バー２０の上挟持面２１と下バー２５の下挟持面２６との間に、収納袋７０２の開口部７２が挟持される。
下バー２５の下挟持面２６には、収納袋７０２の定型挿通穴７５の形状に対応し、定型挿通穴７５に挿通可能な複数の凸部２７が形成されている。上バー２０の上挟持面２１には、クリップ２００が閉じたとき、凸部２７が嵌合する逃がし穴２２が形成されている。また、上バー２０の側面には、個体毎に異なる識別番号ＩＤが付されている。
【００３６】
以下、上バー２０及び下バー２５の長手方向の折曲部２９側を「内側」、折曲部２９と反対側を「外側」という。上バー２０及び下バー２５の外側の各端部には、クリップ２００が閉じたとき互いに係止する上爪２３１及び下爪２８が形成されており、ロック機構を構成している。
上バー２０側の上爪２３１は、肉薄の接続部２４を介して上バー２０と接続された分離部２３において、内向きに形成されている。分離部２３の上爪２３１と反対側には、外向きに延びる把持部２３４が設けられている。一方、下バー２５側の下爪２８は、下バー２５の外側端部に外向きに一体的に形成されている。
【００３７】
収納袋７０２に携帯電話９を収納後、開口部７２を封印するとき、図７（ａ）のように、収納袋７０２の定型挿通穴７５をクリップ２００の下バー２５の凸部２７に嵌め、収納袋７０２を位置決めする。そして、折曲部２９を支点として、上バー２０を図７（ｂ）の状態から図７（ｃ）の状態まで回転させる。なお、図中、上バー２０の回転軌跡Ｒを２点鎖線で示す。
このとき、最初に上爪２３１の傾斜面２３２と下爪２８の傾斜面２８２とが当接する。さらに、一般人の通常の力で押圧することにより、分離部２３が外側に変形しつつ下爪２８を乗り越え、上爪２３１の係止面２３３と下爪２８の係止面２８３とが対向する状態となり、上爪２３１が下爪２８に係止する。こうして、上バー２０と下バー２５とが一旦ロックすると、クリップ２００を開くことができなくなる。これにより、収納袋７０２は、携帯電話９を取り出し不能に封印される。
【００３８】
収納袋７０２を開封するときは、図８（ａ）に示すように、分離部２３の把持部２３４を一般人の通常の力で押し下げるか、又は引き上げると、肉薄の接続部２４が折損し、分離部２３が上バー２０から分離する。その結果、図８（ｂ）に示すように、クリップ２００を開き、収納袋７０２を外すことが可能となる。そして、収納袋７０２の開口部７２を開き、内部に収納した携帯電話９を取り出すことができる。
【００３９】
次に、以上の構成による携帯電話封印キット２の使用方法について、図９のフローチャートを参照して説明する。
Ｓ２１は、第１実施形態のＳ１１と同様である。続いてＳ２２にて、収納袋７０２の定型挿通穴７５と下バー２５の凸部２７との位置を合わせつつ、収納袋７０２の開口部７２をクリップ２００で狭持する。このとき、上バー２０の上爪２３１が下バー２５の下爪２８に係止することで収納袋７０２を封印する。この状態で、受験者は、机上に収納袋７０２を置き、試験を受ける。試験中、受験者は、当然に携帯電話９を使用することができない。また、従来技術のように携帯電話９を常に首に掛けておく必要はない。
【００４０】
仮に受験者が試験監督者の見ていない隙に携帯電話９を使用しようとすれば、分離部２３の把持部２３４を押し下げるか、又は引き上げることにより接続部２４を折損し、クリップ２００を開いた後、収納袋７０２から携帯電話９を取り出すという動作を行わなければならない。
そして携帯電話９を使用した後、再び収納袋７０２に収納したとしても、上バー２０の接続部２４が折損しているため、クリップ２００を閉じて封印することができない。
【００４１】
その後、Ｓ２３にて、試験終了時に試験監督者が各受験者の収納袋７０２を検査する。識別番号ＩＤの利用については第１実施形態と同様である。
検査では、Ｓ２４にて上バー２０の接続部２４が折損し分離部２３が分離しているか否か判断する。Ｓ２５〜Ｓ２８は、第１実施形態のＳ１５〜Ｓ１８と同様である。
【００４２】
第２実施形態の携帯電話封印キット２は、第１実施形態の効果（１）〜（６）と同様の効果を奏する。また、下バー２５の凸部２７及び収納袋７０２の定型挿通穴７５が縦方向及び横方向に形成されているため、収納袋７０２をあらゆる方向から引っ張ってもクリップ２００から収納袋７０２を引き抜くことができない。したがって、収納袋７０２をより厳重に封印することができる。
【００４３】
（第３実施形態）
次に、本発明の第３実施形態による携帯電話封印キットについて、図１０〜図１２を参照して説明する。図１１、図１２に示すように、第３実施形態の携帯電話封印キット３は、収納袋７０３、及び「封印手段」としてのクリップ３００を備える。
クリップ３００は、第２実施形態のクリップ２００に対し、収納袋７０３の開口部７２を挟持する部分の構成が異なる。一方、ロック機構の構成は同一であるため、同一の符号を付し、説明を省略する。
【００４４】
図１０に示すように、第３実施形態の収納袋７０３は、開口部７２に穴等が形成されていない点を除き第１、第２実施形態の収納袋７０１、７０２と同様である。
【００４５】
図１１に示すように、クリップ３００は、樹脂材料で成形され、直方体形状の上バー３０及び下バー３５が、長手方向の一端である折曲部３９を支点として開閉可能に形成されている。クリップ３００が閉じたとき、上バー３０の上挟持面３１と下バー３５の下挟持面３６との間に、収納袋７０３の開口部７２が挟持される。
下バー３５の下挟持面３６には、長手方向に沿って複数の凸部３７が形成されている。上バー２０の上挟持面２１には、クリップ３００が閉じたとき、凸部３７が嵌合する逃がし穴３２が形成されている。また、上バー３０の側面には、個体毎に異なる識別番号ＩＤが付されている。
【００４６】
収納袋７０３に携帯電話９を収納後、開口部７２を封印するとき、図１１（ａ）のように、収納袋７０３の開口部７２をクリップ３００の下バー３５の凸部３７の上に置く。そして、折曲部３９を支点として、上バー３０を図１１（ｂ）の状態から図１１（ｃ）の状態まで回転させると、開口部７２のシート材は凸部３７と逃がし部３２との間につづら折り状に挟まれて固定されると共に、第２実施形態と同様に上バー３０と下バー３５とがロックする。これにより、収納袋７０３は、携帯電話９を取り出し不能に封印される。
【００４７】
収納袋７０３を開封するときは、第２実施形態と同様に、接続部２４を折損し、分離部２３を上バーから分離する。そして、クリップ３００を開いて収納袋７０３を外す。収納袋７０３の開口部７２を開き、内部に収納した携帯電話９を取り出すことができる。
携帯電話封印キット３の使用方法については、第２実施形態の図９のフローチャートを援用し、説明を省略する。
【００４８】
第３実施形態の携帯電話封印キット３は、第１実施形態の効果（１）〜（６）と同様の効果を奏する。また、下バー３５の凸部３７を複数形成することで、収納袋７０３を引っ張ったとき滑り抜けることを防止することができる。さらに、第２実施形態に比べ、収納袋に定型挿通穴７５を形成する工数を低減することができる。
【００４９】
（第４実施形態）
次に、本発明の第４実施形態による携帯電話封印キットについて、図１３〜図１８を参照して説明する。第４実施形態の用途は第１〜第３実施形態と同一であり、封印手段の機能の一部が異なる。すなわち、第１〜第３実施形態の封印手段は樹脂成形品で構成され、開封時に破壊されることによって開封の痕跡を残すのに対し、第４実施形態の封印手段はステッカーであり、開封による剥離痕を開封の痕跡とすることを特徴とする。
図１３〜図１５に示すように、第４実施形態の携帯電話封印キット４は、収納袋７０４、及び「封印手段」としてのステッカー４０を備える。収納袋７０４は、開口部７２に穴等が形成されておらず、第３実施形態の収納袋７０３と実質的に同一である。
【００５０】
図１３に示すように、使用前の携帯電話封印キット４は、収納袋７０４の開口部７２端部の一方のシート外面に矩形状のステッカー４０の約半分が貼り付けられている。ここでは、裏シート７２２にステッカー４０が貼り付けられているものとする。
ステッカー４０は、基材４１の一方の面に貼付転写層４２が形成されている。貼付転写層４２は、相手面に貼り付けられるとともに、ステッカー４０を剥がしたとき、相手面に所定の文字や形状を転写するものである。また、相手面に転写されない部分がステッカー４０の裏面に現れ、ステッカー表面からもその剥離痕を確認することができる（図１６、１７参照）。すなわち、写真のポジとネガの関係のように、相手面である表シート７２１、及びステッカー裏面の双方に剥離痕が残る。
【００５１】
ステッカー４０の裏シート７２２に貼り付けられていない残り半分の部分には、保護用のシール紙４５が貼られている。収納袋７０４に携帯電話９を収納後、開口部７２を封印するとき、図１４のように、ステッカー４０の半分に貼られたシール紙４５を剥がし、ステッカー４０を折り返して表シート７２１の外面に貼り付ける。すなわち、ステッカー４０は、開口部７２の表裏のシート７２１、７２２を跨いで貼り付けられる。
これにより、収納袋７０４は、携帯電話９を取り出し不能に封印される。このとき上方から見えるように、ステッカー４０には、個体毎に異なる識別番号ＩＤが付されている。
【００５２】
収納袋７０４を開封するときは、例えば図１５に示すように、表シート７２１からステッカー４０を剥がす。このとき、図１６、１７に示すように、貼付転写層４２の一部は基材４１側に付随して剥離し、一部は表シート７２１側に残って転写される。これにより、例えば「開封済」という文字がポジの剥離痕４３として表シート７２１に転写されるとともに、ネガの剥離痕４４としてステッカー４０の裏面に現れる。よって、ステッカー４０が剥がされたことが一目瞭然となる。ここで、転写されるものは、文字に限らず英数字、ロゴ、イラスト、模様等でもよい。
【００５３】
一度剥がされた貼付転写層４２は、もはや貼付力が低下している。仮にステッカー４０を別の接着剤にて貼付けても、ステッカー表面から剥離痕４３、４４を確認することができるため、不正が行われたことが明確となる。ステッカー４０を剥がすことで、収納袋７０４の開口部７２を開き、内部に収納した携帯電話９を取り出すことができる。
なお、裏シート７２２からステッカー４０を剥がした場合も同様である。或いは、ステッカー４０の折り返し部分をはさみ等で切断した場合は、切断という形での開封の痕跡が残る。
【００５４】
次に、以上の構成による携帯電話封印キット４の使用方法について、図１８のフローチャートを参照して説明する。
Ｓ４１は、第１実施形態のＳ１１と同様である。続いてＳ４２にて、ステッカー４０の半分を折り返し、開口部７２の表シート７２１に貼り付けることで、収納袋７０４を封印する。この状態で、受験者は、机上に収納袋７０４を置き、試験を受ける。試験中、受験者は、当然に携帯電話９を使用することができない。また、従来技術のように携帯電話９を常に首に掛けておく必要はない。
【００５５】
仮に受験者が試験監督者の見ていない隙に携帯電話９を使用しようとすれば、ステッカー４０を開口部７２から剥がした後、収納袋７０４から携帯電話９を取り出すという動作を行わなければならない。
そして携帯電話９を使用した後、再び収納袋７０４に収納したとしても、貼付転写層４２の貼付力が低下しており、仮に別の接着剤にて再貼付けを行う場合でも、剥離痕が残ったままとなるため、不正行為を隠蔽することはできない。
【００５６】
その後、Ｓ４３にて、試験終了時に試験監督者が各受験者の収納袋７０４を検査する。識別番号ＩＤの利用については第１実施形態と同様である。
検査では、Ｓ４４にて収納袋７０４の開口部７２、及びステッカー裏面の双方に剥離痕４３、４４が有るか否か判断する。なお上述のようにステッカー表面からも剥離痕４３、４４を確認することができる。
Ｓ４５〜Ｓ４８は、第１実施形態のＳ１５〜Ｓ１８と同様である。
【００５７】
第４実施形態の携帯電話封印キット４は、第１実施形態の効果（１）〜（４）と同様の効果を奏する。また、封印手段をより簡易な構成で実現することができる。
さらに、特許文献１の「不正防止用ホルダー」は、単に粘着テープを剥がした後、再度の貼り付けが困難となるというものにすぎず、積極的に剥離痕を形成するものではない。それに対し本実施形態では、ステッカー４０を剥離したとき、相手面及びステッカー裏面の双方に剥離痕４３、４４を残すことで、開封の痕跡を確実に残すことができる。
【００５８】
（その他の実施形態）
（ア）（第１実施形態の変形例）
第１実施形態の封印具１００は、ブッシング１０及び台座１５が別部品で形成されている。これに対し、図１９に示すように、ブッシング１０及び台座１５を連結ヒンジ１４で連結した一体式の封印具１４０を採用してもよい。
図２０に示すように、封印具１４０は、連結ヒンジ１４が開口部７２の端部７２３を跨ぐように収納袋７０１に装着され（ａ）、収納袋７０１を封印する（ｂ）。開封時には、把持部１９３を引っ張ることで接続リブ１９２を折損させる（ｃ）。これにより、開封の痕跡を確実に残すことができる。
この形態では封印具１４０が一体式であるため、部品の管理等が容易となる。
【００５９】
（イ）第１実施形態に対し、１つの収納袋７０１に対して複数の封印具１００を用いて封印するようにしてもよい。例えば、受験者の意図に反して収納袋７０１を机等にぶつけたり落としたりした結果、台座１５に力が加わって破壊する可能性が無いとは言えない。このような場合にまで善良な受験者を失格させるのは酷であるとも考えられる。そこで、複数の封印具１００の全ての台座が破壊されていた場合のみ、故意に不正行為がなされたと推定することにより、偶発的な破損の場合をも不正行為とみなす過剰な管理を抑制することができる。
【００６０】
（ウ）収納袋７０１〜７０４を形成するシート材として、電磁波遮断機能を有するシート材を用いてもよい。これにより、内部に収納した携帯電話９の通話やメール送受信をすること自体ができなくなるため、試験中の不正行為の防止に役立つ。この電磁波遮断シート材は、それ自体が一層で収納袋を形成するものに限らず、例えば、袋を形成するシート基材に多層に貼り付けられるものであってもよい。
（エ）第２実施形態のクリップにおける定型挿通穴７５の形状や数は、上記の例に限らない。
（オ）収納袋や封印手段に識別番号を付す位置や方法は上記実施形態の例に限らない。例えば、バーコードが印刷されたシールを貼り付ける方法や、ＩＣチップを埋め込む等の方法を用いてもよい。
【００６１】
（カ）本発明の携帯電話封印キットは、試験に限らず、例えば、情報漏洩防止のため来客によるカメラ付きの携帯電話の持込を禁止している民間企業の事業所や研究所等の守衛所において使用することもできる。すなわち、来客が入場前に携帯電話を収納袋に入れ、出場時に開封されていないことをチェックするといった使い方ができる。
以上、本発明はこのような実施形態に限定されるものではなく、発明の趣旨を逸脱しない範囲において、種々の形態で実施することができる。
【符号の説明】
【００６２】
１、２、３、４・・・携帯電話封印キット、
１００、１４０・・・封印具（封印手段）、
２００、３００・・・クリップ（封印手段）、
４０  ・・・ステッカー（封印手段）、
７０１、７０２、７０３、７０４・・・収納袋、
７２  ・・・開口部、
９    ・・・携帯電話。
【図１】
2014161570.tif 000003
【図２】
2014161570.tif 000004
【図３】
2014161570.tif 000005
【図４】
2014161570.tif 000006
【図５】
2014161570.tif 000007
【図６】
2014161570.tif 000008
【図７】
2014161570.tif 000009
【図８】
2014161570.tif 000010
【図９】
2014161570.tif 000011
【図１０】
2014161570.tif 000012
【図１１】
2014161570.tif 000013
【図１２】
2014161570.tif 000014
【図１３】
2014161570.tif 000015
【図１４】
2014161570.tif 000016
【図１５】
2014161570.tif 000017
【図１６】
2014161570.tif 000018
【図１７】
2014161570.tif 000019
【図１８】
2014161570.tif 000020
【図１９】
2014161570.tif 000021
【図２０】
2014161570.tif 000022